(57)【要約】【課題】従来の技術の欠陥であった、途中で戻ってしまった許可者での誤警報と、許可者に同伴する不許可者が通過できてしまうことを防止できる通過監視装置を有する施設出入り管理システムを提供する。【解決手段】員数センサを構成に含ませることで、ＩＤ読取送受信器７４を読み取った認識符号を予め許可登録された認識符号との一致比較をし、その一致した認識符合を持つ通過者の認識数と員数センサにより検知された員数とを比較して、員数センサの検知した員数の方が多い場合は、不許可者が含まれるとして判断させる通過監視装置と出力装置を用いた施設出入り管理システムを構成する。【選択図】図８
2006127344.tif 000002
【特許請求の範囲】
【請求項１】
通過者を検知するセンサ部と、前記通過者が携帯するためのＩＤＴＡＧと、前記通過者が許可者であるか否かを判別出力する判別器を有する通過監視装置と、前記通過監視装置の判別出力を受けて、前記通過者に対応した出力をする出力装置とを少なくとも有する施設出入り管理システムであって、前記のセンサ部は、前記ＩＤＴＡＧが有する認識符号を読み取るための信号を送受信するためのＩＤ読取送受信器と、前記ＩＤ読取送受信器の読み取り範囲内に存在する前記通過者の員数を求めるための員数センサを少なくとも有し、前記ＩＤＴＡＧは、前記認識符号を格納するための認識符号器と、前記ＩＤ読取送受信器との間で前記認識符号を含むデータを送受信するためのＴＡＧ側送受信器と、前記認識符号器と前記ＴＡＧ側送受信器を制御するための副制御器とを有し、判別器は、通過を許可された認識符号を格納する認識符号登録メモリと、前記センサ部と前記認識符号登録メモリを制御するための主制御器を有し、前記主制御器は、前記ＩＤ読取送受信器で受信した前記前記ＩＤＴＡＧからの前記認識符号と前記認識符号登録メモリ内の前記通過を許可された認識符号とを比較し、該比較により一致した認識符号の員数と前記員数センサが検知した前記通過者の員数を比較して、前記員数センサが検知した前記通過者の員数の方が多いか否かで、前記通過者に不許可者が含まれるか否かを判別する判別信号を出力することを特徴とする施設出入り管理システム。
【請求項２】
前記の判別信号は、前記員数センサが検知した前記通過者の員数の方が多い場合は、前記通過者に前記不許可者が含まれると判別する前記判別信号であり、該判別信号により音声、光、表示物等による警報の発生、又は／及び、通過のためのゲートの閉鎖、又は／及び、通過を管理する者への報告を行い、前記員数センサが検知した前記通過者の員数の方が多くない場合は、前記通過者に前記不許可者が含まれないと判別する前記判別信号であり、前記警報の発生を行わないか、又は／及び、通過の許可報知又は／及び誘導報知、又は／及び、通過を管理する者への報告を行うことを特徴とする請求項１記載の施設出入り管理システム。
【請求項３】
前記ＩＤ読取送受信器及び前記ＴＡＧ側送受信器は、電波又は赤外線又は超音波のいずれかによる媒体により送受信を行うことを特徴とする請求項１又は請求項２記載の施設出入り管理システム。
【請求項４】
前記員数センサは、前記ＩＤ読取送受信器の読み取り範囲内に存在する前記通過者の画像をカメラにより取得し画像処理により員数を検出するものであることを特徴とする請求項１から請求項３のいずれか一つに記載の施設出入り管理システム。
【請求項５】
前記カメラは、前記通過者の進行方向に平行方向と直角な方向の２方向から画像を取得するように設置し、前記員数センサは、前記の２方向からの前記画像を用いて員数を求めることを特徴とする請求項４記載の施設出入り管理システム。
【請求項６】
前記カメラは、前記通過者を見下ろすように前記通過者より上に設置されたことを特徴とする請求項４記載の施設出入り管理システム。
【請求項７】
前記員数センサは、前記通過者との距離を測定して、前記距離の大小の変化により前記通過者の重なりを判別することを特徴とする請求項１から請求項３のいずれか一つに記載の施設出入り管理システム。
【請求項８】
前記の出力装置は、出入りを制限するゲート、又は及び、音で報知するためのスピーカ、又は及び、光で威嚇及び報知するためのランプ、又は及び、監視に用いるモニタ、又は及び、報知のための電話／インターネットサイトであることを特徴とする請求項１から請求項７のいずれか一つに記載の施設出入り管理システム。
【請求項９】
前記の施設は、幼稚園／学校／学習塾等の教育施設であることを特徴とする請求項１から請求項８のいずれか一つに記載の施設出入り管理システム。
【請求項１０】
前記通過監視装置、前記出力装置を含む前記施設出入り管理システムの構成体は、故障を検出する自己診断機能を有することを特徴とする請求項１から請求項９のいずれか一つに記載の施設出入り管理システム。
【発明の詳細な説明】
【技術分野】
【０００１】
本発明は、児童、生徒、学生、研究者などが出入りする施設特に学校においての出入者の管理を行い、犯罪者等の危険なものの侵入を防止する施設出入り管理システムに関するものであって、個体認識ＴＡＧと員数センサによる通過監視装置を用いて、ＴＡＧのデータの一致だけでなく、両者で検知した員数の一致・不一致に基づいて不許可者の侵入を判断するようにした施設出入り管理システムを提案するものである。特に、認識番号等の認識符号を持つ通過者を通過させ、認識符号を持たない不当な通過者に警報を発して通過を監視する機能に加え、従来に無い、誤認識を防ぐ手段を持ったシステムを提供するものである。
【背景技術】
【０００２】
従来、このような施設の出入りを管理するシステムに使用される通過監視装置について以下に述べると、この様な認識符号を持った通過者の認識は、例えば、侵入を検知するセンサと侵入者が持っている認識タグ（ＩＤＴＡＧ）から認識符号を読み出す送受信器と予め登録された許可者の認識符号との一致を判別する判別器から構成されたものがあった。センサは通過者の侵入を検知し、それをトリガーとして送信器から認識タグに向けて読み出し電波を送り、認識タグは、自ら有している認識符号を受信器に向かい送信する。受信器で受けた認識符号を判別器で予め許可登録されたものかを比較して、登録されていればそのまま通過させ、登録されていないか、認識符号を持っていなければ、警報を発したり、ゲートを閉めて通過できなくするものである。
【発明の開示】
【発明が解決しようとする課題】
【０００３】
この様な例を特許文献１及び特許文献２に見ることができる。図７は、従来の通過監視装置を示すブロック図である。７１は、通過者の侵入を検出する侵入サンサである。侵入サンサ７１からの検出信号は、主制御器７２と判別出力器７３に入る。主制御器７２は検出信号を受けて、ＩＤ読取送受信器７４を駆動し、読み取り電波を発して、通過者の持参しているＩＤＴＡＧ７５内の認識符号を読み取りに行く。ＴＡＧ側送受信器７６はこの読み取り電波を受けて、副制御器７７に認識符号器７８内の認識符号の読み取りを指示する。読み取られた認識符号は、ＴＡＧ側送受信器７６から発生する電波により、ＩＤ読取送受信器７４に伝えられる。ＩＤ読取送受信器７４で受信された認識符号は、主制御器７２で、認識符号登録メモリ７９内の認識符号と比較され、同じものがあれば、その信号は、判別出力器７３に送られ、判別出力器７３から許可信号がでる。認識符号に同じものがない場合は、不許可者として、判別出力器７３からは、不許可の信号が出る。尚、ＩＤＴＡＧ７５は、許可者が個々に携帯するものである。
【特許文献１】特開平１０−２２８５８９
【特許文献２】特開２０００−２９３７７３
【０００４】
図６は、このような通過監視装置を設置した使用状態の例を示す図であって、天井に設置した例である。７１は侵入センサであり、その感知領域はＡで示す範囲である。
７４は、ＩＤ読取送受信器であり、その感知領域はＢで示す範囲である。例えば、左側から入って来た通過者ＰＡＳ（円の中に矢印のマーク、矢印は進行方向を示し、顔マーク有りは、許可された認識符号を持ち、顔マーク無しのものは、許可された認識符号を持たないことをしめす。）は、Ｂ領域の左側のＡ領域に入ると、侵入センサ７１が働いて、その信号によりＩＤ読取送受信器７４から認識符号を読み出す電波を発し、Ｂ領域に入った通過者ＰＡＳが持っているＩＤＴＡＧ７５から認識符号を読み取る。その後の判別は上記の通り行われる。ところが、このような構成の通過監視装置では、以下のような不都合があった。不都合の例をあげると、一つは、左側から入った通過者ＰＡＳがＢ領域の左側のＡ領域に入って、侵入センサ７１に感知されたあと、Ｂ領域に入らずにそのまま戻ってしまった場合は、ＩＤ読取送受信器７４では、認識符号が読み出せないので、認識符号を持たない不許可者が通過したと見て、不許可判断の警報を出してしまう。幼稚園、学校等の教育施設では、児童や生徒が自由に往来し、このようなことはよくあることなので誤警報が頻繁に起こることになる。防犯装置では、侵入者がいないのに、侵入者があるように警報が出るのは、緊迫した雰囲気になり、警備施設等への報告も無駄なものとなり、誤警報が度重なると、本当の不許可の侵入者がある場合でも緊迫した対応がなされなくなる恐れがあり、極めて問題が多い。別の不都合は、例えば、許可者と不許可者が同時に入って来た場合に起こる。侵入センサ７１からの信号は侵入を検知し、ＩＤ読取送受信器７４も認識符号を検出する。このため、許可判断の信号がでて、不許可者も通過できてしまう。かなり普及した防犯装置は、このようなものが多いことが実情であり、新世代の装置としては、不満足なものであるため、監視装置としては重大な欠陥となっていた。
【課題を解決するための手段】
【０００５】
本発明は、従来の施設出入り管理システムの不都合を解決するために提案されたものであり、員数センサを構成に含ませることで、ＩＤ読取送受信器７４を読み取った認識符号を予め許可登録された認識符号との一致比較をし、その一致した認識符合を持つ通過者の認識数と員数センサにより検知された員数とを比較して、員数センサの検知した員数の方が多い場合は、不許可者が含まれるとして判断させる通過監視装置と出力装置を用いた施設出入り管理システムを構成するものである。
【０００６】
請求項１記載の発明は、施設出入り管理システムであって、通過者を検知するセンサ部と、前記通過者が携帯するためのＩＤＴＡＧと、前記通過者が許可者であるか否かを判別出力する判別器を有する通過監視装置と、前記通過監視装置の判別出力を受けて、前記通過者に対応した出力をする出力装置とを少なくとも有する施設出入り管理システムであって、前記のセンサ部は、前記ＩＤＴＡＧが有する認識符号を読み取るための信号を送受信するためのＩＤ読取送受信器と、前記ＩＤ読取送受信器の読み取り範囲内に存在する前記通過者の員数を求めるための員数センサを少なくとも有し、前記ＩＤＴＡＧは、前記認識符号を格納するための認識符号器と、前記ＩＤ読取送受信器との間で前記認識符号を含むデータを送受信するためのＴＡＧ側送受信器と、前記認識符号器と前記ＴＡＧ側送受信器を制御するための副制御器とを有し、判別器は、通過を許可された認識符号を格納する認識符号登録メモリと、前記センサ部と前記認識符号登録メモリを制御するための主制御器を有し、前記主制御器は、前記ＩＤ読取送受信器で受信した前記前記ＩＤＴＡＧからの前記認識符号と前記認識符号登録メモリ内の前記通過を許可された認識符号とを比較し、該比較により一致した認識符号の員数と前記員数センサが検知した前記通過者の員数を比較して、前記員数センサが検知した前記通過者の員数の方が多いか否かで、前記通過者に不許可者が含まれるか否かを判別する判別信号を出力することを特徴とする。
【０００７】
請求項２記載の発明は、請求項１記載の施設出入り管理システムにおいて、前記の判別信号は、前記員数センサが検知した前記通過者の員数の方が多い場合は、前記通過者に前記不許可者が含まれると判別する前記判別信号であり、該判別信号により音声、光、表示物等による警報の発生、又は／及び、通過のためのゲートの閉鎖、又は／及び、通過を管理する者への報告を行い、前記員数センサが検知した前記通過者の員数の方が多くない場合は、前記通過者に前記不許可者が含まれないと判別する前記判別信号であり、前記警報の発生を行わないか、又は／及び、通過の許可報知又は／及び誘導報知、又は／及び、通過を管理する者への報告を行うことを特徴とする。
【０００８】
請求項３記載の発明は、請求項１又は請求項２記載の施設出入り管理システムにおいて、
前記ＩＤ読取送受信器及び前記ＴＡＧ側送受信器は、電波又は赤外線又は超音波のいずれかによる媒体により送受信を行うことを特徴とする。
【０００９】
請求項４記載の発明は、請求項１から請求項３のいずれか一つに記載の施設出入り管理システムにおいて、前記員数センサは、前記ＩＤ読取送受信器の読み取り範囲内に存在する前記通過者の画像をカメラにより取得し画像処理により員数を検出するものであることを特徴とする。通常の監視カメラと員数センサを兼用できる。
【００１０】
請求項５記載の発明は、請求項４記載の施設出入り管理システムにおいて、前記カメラは、前記通過者の進行方向に平行方向と直角な方向の２方向から画像を取得するように設置し、前記員数センサは、前記の２方向からの前記画像を用いて員数を求めることを特徴とする。
通過者の重なりを避けて員数検出の確度が向上する。
【００１１】
請求項６記載の発明は、請求項４記載の施設出入り管理システムにおいて、前記カメラは、前記通過者を見下ろすように前記通過者より上に設置されたことを特徴とする。これにより通過者を重なり無く検出できる。
【００１２】
請求項７記載の発明は、請求項１から請求項３のいずれか一つに記載の施設出入り管理システムにおいて、前記員数センサは、前記通過者との距離を測定して、前記距離の大小の変化により前記通過者の重なりを判別することを特徴とする。通過者の重なりがあっても
員数の判定が可能となる。
【００１３】
請求項８記載の発明は、請求項１から請求項７のいずれか一つに記載の施設出入り管理システムにおいて、前記の出力装置は、出入りを制限するゲート、又は及び、音で報知するためのスピーカ、又は及び、光で威嚇及び報知するためのランプ、又は及び、監視に用いるモニタ、又は及び、報知のための電話／インターネットサイトであることを特徴とする。
【００１４】
請求項９記載の発明は、請求項１から請求項８のいずれか一つに記載の施設出入り管理システムにおいて、前記の施設は、幼稚園／学校／学習塾等の教育施設であることを特徴とする。教育施設への犯罪者の侵入による犯罪の防止が出来る。
【００１５】
請求項１０記載の発明は、請求項１から請求項９のいずれか一つに記載の施設出入り管理システムにおいて、前記通過監視装置、前記出力装置を含む前記施設出入り管理システムの構成体は、故障を検出する自己診断機能を有することを特徴とする。
【発明の効果】
【００１６】
以上の様に構成されているので、本発明の施設出入り管理システムによれば、不許可者が許可者にまぎれて通過することも回避でき、又、通過者がＡ領域に入って、侵入センサ７１に感知されたあと、そのまま戻ってしまった場合でも、員数センサでも通過者がいないと検知されるため、誤判断にならない。以上の様に誤判断のない施設出入り管理システムを提供することができる。
【発明を実施するための最良の形態】
【００１７】
発明を実施するための最良の形態として、通過者が携帯するＩＤＴＡＧを認識符号器とＴＡＧ側送受信器とこれらを制御する副制御器で構成し、認識符号を読み取るための電波の送受信するＩＤ読取送受信器と認識符号登録メモリと、これらを制御し、認識符号と認識符号登録メモリ内の認識符号の一致比較を行う主制御器と、ＩＤ読取送受信器の検出範囲内にいる員数を検知する員数センサとを含んだ構成を特徴とする通過監視装置を有し、員数センサの検出した員数が、一致した認識符号の員数より多い場合は、不許可者が含まれているとして不許可判定を行い、判定出力によりゲートの開閉、通報等の処理を行うものである。以下に実施態様を説明する。
【実施例１】
【００１８】
先ず、本発明の施設出入り管理システムが有する通過監視装置を説明する。図１は、通過監視装置の一実施態様の動作を示すブロック図である。センサ部１００と、判別器１１０と、ＩＤＴＡＧ１２０からなっている。センサ部１００にはＩＤ読取用のＩＤ読取送受信器１０１と員数センサ１０２がある。判別器１１０には、主制御器１１１と認識符号登録メモリ１１２がある。ＩＤＴＡＧ１２０には、ＴＡＧ側送受信器１２１と、認識符号器１２２と、両者を制御する副制御器１２３がある。以下、動作を説明する。主制御器１１１からの駆動により、ＩＤ読取送受信器１０１と員数センサ１０２が動作している。ＩＤ読取送受信器１０１は、その読み取り領域（送受信可能範囲）に読み取り電波を送信する。勿論、電波以外に超音波、赤外線などでもかまわない。読み取り領域に通過者がいる場合には、通過者が携帯するＩＤＴＡＧ１２０は、読み取り電波を受信して、副制御器１２３の制御により、認識符号器１２２内の認識符号をＴＡＧ側送受信器１２１を介して返信する。これをＩＤ読取送受信器１０１が受信して、判別器１１０の主制御器１１１に送り、ここで認識符号登録メモリ１１２に予め登録された許可された認識符号と比較される。比較により一致した通過者の数が見出される。員数センサ１０２は、ＩＤ読取送受信器１０１の読み取り領域内にいる通過者の員数を検知して、その員数を判別器１１０の主制御器１１１に伝える。主制御器１１１では、員数センサ１０２からの員数と上記の認識符号による一致した通過者の数を比較して、前者が後者の数より多い場合には不許可者が含まれると判断する。判断した結果は、判断出力１１３から出力され、警報を出したり、ゲートを閉めたり、表示をしたりすることに使用される。尚、員数センサ１０２は、例えば、光センサや、複数の通過域毎に配置した複数の圧力スイッチによるものや、更に監視カメラによる画像から画像処理により個体数を割り出すようにするものなどいずれでも利用可能である。
【実施例２】
【００１９】
図２は、センサ部１００に侵入センサ１０３が追加されている点が図１との違いである。
このため、動作としては、侵入センサ１０３は、その検知範囲に入って来た通過者を検知し、その検知信号を主制御器１１１に送る。主制御器１１１は検知信号を受け取ると、適当な時間範囲内でＩＤ読取送受信器１０１と員数センサ１０２を駆動させる。その後の動作は図１と同様である。図１との違いは、常にＩＤ読取送受信器１０１と員数センサ１０２が動作している必要がなく、侵入センサ１０３からの検知信号があった場合のみ動作すればよいことである。
【００２０】
図３から図５は、本発明による施設出入り管理システムでの通過監視装置を設置した実施状況の例を示す図である。図３は、天井やポールにセンサ部１００を設置し、上から通過者を見下ろす形で監視したものである。３−Ａは上側が天側であり水平に横から見たものであり、３−Ｂは、天側から通過者を見下ろした図となっている。図１と同様に、１０１はＩＤ読取送受信器であり、１０２は員数センサである。３−Ａに見るように水平に横から監視カメラ等で員数をセンスする場合は、図に示す様に二つの通過者が重なると員数検知が正確ではなくなるが、この図では、センサが通過者の上から見下ろすように検知する様になっているので、３−Ｂで見るように重なりが無く、正確に員数を検知できる。ＳＡは３−Ａと同様にセンサ部の検出範囲を示している。円に矢印は、前述した様に通過者を示し、矢印は進行方向を、顔マーク有りのものは、許可通過者であり、許可された認識符号のＩＤＴＡＧを持っていることを示し、顔マークが無いものは、不許可侵入者であり、許可された認識符号のＩＤＴＡＧを持たない場合を示している。通過域を狭くして通過者を個々にしか通過できなくすることで複数の通過者の重なりを防ぎ、員数を正確に検知することもできる。
【００２１】
図４から図５は、センサ部１００が天井やポールを利用できない空間において、通過監視装置を設置する実施状況の例である。全ての図は上から見た表現になっている。４−Ａは通過路の横にＩＤ読取送受信器１０１が付いていて、通過者の進行方向に直角な方向から水平に検知している。員数センサ１０２は、通過者の進行方向の前から監視している。勿論、後ろからでも同じである。ＩＤ読取送受信器１０１は電波での読み取りの場合は、図のように２つの通過者が重なっていても検知できる。員数センサ１０２も例えば、監視カメラのようなものでも、前方から監視しているので、進行方向に並進する二者の検知が可能である。４−Ｂでは、ＩＤ読取送受信器１０１と同じように員数センサ１０２も通過路の横に付いていて、通過者の進行方向に直角な方向から水平に検知している。このような配置では、カメラのようなものでは、員数センサとしては正確な員数の検知が難しい。二つの通過者がカメラには重なって見えるからである。このような場合は、通過幅を制限して単数の通過者のみ通過できるような通過路とし、複数の通過路毎に配置した光センサや、圧力スイッチ、超音波センサ、電波センサ、カメラなどを用いるか、レーザーなどで距離を測って、距離の違いで複数通過者の凹凸を見分けることで複数者を検出することができる。尚、複数の通過路間には仕切りを入れることで画像の監視精度を上げることができる。
【００２２】
４−Ａの構成では、進行方向に沿って二者が並んだ場合が、進行方向からカメラで検知した場合に二者が重なって見えること、４−Ｂの構成では、進行方向と直角の方向に二者が並んだ場合が、横方向からのカメラで検知した場合に二者が重なって見えることの不具合を回避するようにしたのが図５の設置例である。ここでは、員数センサは、通過路の横についたものが１０２Ａであり、通過者の進行方向の前についたものが１０２Ｂである。両員数センサの検知信号を複合すると検出確度を上げることができる。
【実施例３】
【００２３】
図８は、本発明の施設出入り管理システムの構成を示す図である。８−Ａにおいて、８０１は、通過監視装置であって、以上に説明したＩＤＴＡＧと員数センサを併用したものであり、これを構成に含んでいて、通過監視装置の判別器の判断出力により出力装置８０２を駆動するようになっている。勿論、前述のように、ＩＤＴＡＧは、個々の者が携帯するものである。出力装置８０２としては、警報器、出入りゲート、モニタ、通報器などが適用される。８−Ｂは、例えば学校の出入り口（平面図を示す）に適用した例であるが、通／警報としてスピーカ８０３、ランプ８０４、モニタとしてパソコン画面や映像監視装置８０５、通報器として電話、携帯電話を設置するなどの手段が考えられる。８０６は、判断出力で開閉するゲートである。
【００２４】
何れにせよ、員数センサは、カメラによる映像と画像処理により員数を割り出す場合には天井やポールの上に設置して上からセンスするのが便利である。次に、本発明の施設出入り管理システムを産業上で応用するに最適な例を挙げる。通常は通過者がほぼ固定されていて、常時は開放状態にある施設での使用では特に便利である。例えば、特定の研究者しか入れない研究施設や学校他の教育施設である。これらの施設では、通常用いられているカードを通過時毎に読み取り装置にかざして読み取らせたり、指紋照合させたり、瞳孔のパターンを読み取らせたりするが、何かの動作をすることは面倒である。特に、教育施設では、児童や生徒にこのような面倒な所作はさせられない。させても守られないため、使用ができない。本発明の施設出入り管理システムでは、通過者は、従来の様にＩＤＴＡＧを携帯していれば余分なことをすることも無く通過できるので、特に教育施設の異常侵入者防止には最適のシステムを提供する。誤動作の例で記述したように、一旦途中まで入った通過者が通過をせずに戻ってしまうなどは、日常茶飯事に起こるので、その回避策を提供する本発明は、不許可の同時通過の防御効果とあいまって利用価値が極めて高い。更に、本発明の通過監視装置は、施設の出入口、施設内の通路といろいろな設置が可能である。又、施設境界の周囲に設置された赤外線等による通常の侵入センサ装置や通常の監視カメラ装置と併用すれば、これらの不備を補って確度を上げることができる。又、臨時に訪れる場合は、訪問を検知した段階で、受付して臨時のＩＤＴＡＧを渡せばよいのは、当然である。本明細書内のＩＤ読取送受信器及びＴＡＧ側送受信器は、電波を媒体にする場合には、アンテナを含んでいるものとすることは当然である。認識符号を含むデータの送受信器であるＩＤ読取送受信器及びＴＡＧ側送受信器は、変調器、復調器、増幅器、フィルタなど認識符号の送受信／解読に必要な機能を有するものとする。以上の通過監視装置及び施設出入り管理システムにおいては、構成する各部の故障の診断を行うことも必要となる。それは、ソフトウェアでもハードウェアでも実現できシステムの信頼度を上げることが出来る。
【産業上の利用可能性】
【００２５】
本発明は、従来のシステムの欠陥であった、途中で戻ってしまった許可者での誤警報と、許可者に同伴する不許可者が通過できてしまうことを防止できるので、出入数の監視、不許可者の侵入防止など監視と防犯関連で産業上利用性が極めて大きい。
【図面の簡単な説明】
【００２６】
【図１】本発明による施設出入り管理システムが有する通過監視装置の一実施態様の動作を示すブロック図である。
【図２】侵入センサが追加された本発明による施設出入り管理システムが有する通過監視装置の一実施態様の動作を示すブロック図である。
【図３】本発明による施設出入り管理システムでの通過監視装置を設置した実施状況の例を示す図である。
【図４】本発明による施設出入り管理システムでの通過監視装置を設置した実施状況の例を示す図である。
【図５】本発明による施設出入り管理システムでの通過監視装置を設置した実施状況の例を示す図である。
【図６】従来の施設出入り管理システムにおいて、従来の通過監視装置を設置した使用状態の例を示す図である。
【図７】従来の施設出入り管理システムにおける従来の通過監視装置を示すブロック図である。
【図８】本発明の施設出入り管理システムの構成の例を示す図である。
【符号の説明】
【００２７】
１００  センサ部                        １０１、７４  ＩＤ読取送受信器
１０２、１０２Ａ、１０２Ｂ  員数センサ
１０３、７１  侵入センサ                １１０  判別器
１１１、７２  主制御器                  １１２  認識符号登録メモリ
１１３  判断出力                        １２０、７５  ＩＤＴＡＧ
１２１、７６  ＴＡＧ側送受信器          １２２、７８  認識符号器
１２３、７７  副制御器                  ７３    判別出力器
ＰＡＳ  通過者                          ８０１  通過監視装置
８０２  出力装置                        ８０３  スピーカ
８０４  ランプ                          ８０５  パソコン画面や映像監視装置
８０６  ゲート
【図１】
2006127344.tif 000003
【図２】
2006127344.tif 000004
【図３】
2006127344.tif 000005
【図４】
2006127344.tif 000006
【図５】
2006127344.tif 000007
【図６】
2006127344.tif 000008
【図７】
2006127344.tif 000009
【図８】
2006127344.tif 000010